(57)【要約】      （修正有） 【課題】中実や薄肉の外壁材であっても、構造材へ簡単かつ安定して取り付けることができ、また地震等に際しての外壁材の破損等を防止することができる外壁材の取付構造を提供する。【解決手段】外壁材11の裏面に固定した木桟15,15,16に対して、係合部材13をビス40のねじ込みによって取り付けるとともに、この係合部材13を軸組12に係合させる。また、地震等による軸組12の層間変形時における外壁材11のロッキングを可能とした状態で、係合部材13を外壁材11側へ取り付けたり、軸組12側へ係合させる。【選択図】図４
2005213882.tif 000002
【特許請求の範囲】
【請求項１】
外壁材の裏面に取付部材を固定し、この取付部材にビス又はボルト、釘等の固定具をねじ込むか或いは打ち込んで、前記取付部材に係合部材を取り付けるとともに、その係合部材を構造材に係合したことを特徴とする外壁材の取付構造。
【請求項２】
前記取付部材は、外壁材の裏面に縦方向に沿って固定した木桟であって、この木桟に縦方向に間隔をあけて複数の係合部材を取り付けた請求項１記載の外壁材の取付構造。
【請求項３】
前記構造材は、複数の溝形鋼を組み付けてなる軸組若しくは柱であって、前記係合部材は、前記溝形鋼のリップ部分を前記取付部材との間で挟み込む係合部を備えている請求項１又は２記載の外壁材の取付構造。
【請求項４】
地震等による前記構造材の変形時における前記外壁材のロッキングを可能にするために、前記溝形鋼のリップ部分に対して、位置ずれを許容する隙間を設けながら前記係合部材の係合部を被せるようにした請求項３記載の外壁材の取付構造。
【請求項５】
前記係合部材の係合部に、前記溝形鋼のリップ部分に当接してそのリップ部分に係合部を位置決めする位置決め用突起を形成した請求項３又は４記載の外壁材の取付構造。
【請求項６】
地震等による前記構造材の変形時における前記外壁材のロッキングを可能にするために、前記係合部材に形成した長穴へ前記固定具を挿通した請求項１乃至５のいずれかに記載の外壁材の取付構造。
【請求項７】
外壁材の裏面に取付部材を固定し、この取付部材にビス又はボルト、釘等の固定具をねじ込むか或いは打ち込んで、前記取付部材に係合部材を取り付けるとともに、その係合部材を複数の溝形鋼を組み付けてなる軸組に係合してなることを特徴とする外壁パネル。
【請求項８】
前記取付部材は、外壁材の裏面に縦方向に沿って固定した木桟であって、この木桟に縦方向に間隔をあけて複数の係合部材を取り付けた請求項７記載の外壁パネル。
【請求項９】
前記係合部材は、前記溝形鋼のリップ部分を前記取付部材との間で挟み込む係合部を備えている請求項７又は８記載の外壁パネル。
【請求項１０】
地震等による前記軸組の変形時における前記外壁材のロッキングを可能にするために、前記溝形鋼のリップ部分に対して、位置ずれを許容する隙間を設けながら前記係合部材の係合部を被せるようにした請求項９記載の外壁パネル。
【請求項１１】
前記係合部材の係合部に、前記溝形鋼のリップ部分に当接してそのリップ部分に係合部を位置決めする位置決め用突起を形成した請求項９又は１０記載の外壁パネル。
【請求項１２】
地震等による前記軸組の変形時における前記外壁材のロッキングを可能にするために、前記係合部材に形成した長穴へ前記固定具を挿通した請求項７乃至１１のいずれかに記載の外壁パネル。
【発明の詳細な説明】
【技術分野】
【０００１】
この発明は、例えば鉄骨造の住宅に使用する外壁材の取付構造及び外壁パネルに関する。
【背景技術】
【０００２】
鉄骨造の住宅においては、図１０に示すように、外壁材(１)を構造材(３)に直接ビス(２)止めしていることが多い。しかし、この場合、外壁材(１)の表面側からビス(２)を打ち込むため、外壁材(１)の表面にビス頭が露出して、美観上好ましくない。また、構造材(３)として溝形鋼等の鋼材を用いている場合には、その肉厚が厚いとビス(２)の打ち込みが非常に面倒である。さらに、地震等によって構造材(３)が層間変形すると、外壁材(１)がこれに追従できず、外壁材(１)におけるビス(２)の打ち込み箇所に亀裂等の破損が生じるといった問題があった。
【０００３】
このため、例えば特許文献１に開示されているように、外壁材の裏面側に取り付けた係合部材を軸組に係合することによって、軸組に対して外壁材を取り付けるようにした構造が知られている。この構造においては、面倒なビスの打ち込み作業を不要として、見栄えを良好に保ち、さらに地震等による構造材の層間変形時における外壁材のロッキングが可能になっている。
【０００４】
【特許文献１】特開２００２−１８０５８０号公報
【発明の開示】
【発明が解決しようとする課題】
【０００５】
上記の特許文献１に開示されている構造では、外壁材に形成した下穴に臨むようにして、外壁材の中空部にナット金具を挿入し、このナット金具を利用して係合部材を外壁材の裏面側に取り付けている。このため、係合部材の取り付け作業が煩雑であり、また中空部を有する外壁材しか適用できないといった不具合があった。
【０００６】
一方、外壁材の裏面に係合金具を直接ビス止めすることも考えられるが、この場合には、外壁材へのビスの打ち込みに困難を伴い、また肉厚の薄い外壁材の場合には十分な取付強度を確保できないといった問題がある。
【０００７】
この発明は、上記の不具合を解消して、中実や薄肉の外壁材であっても構造材へ簡単かつ安定して取り付けることができ、また地震等に際しての外壁材の破損等を防止することができる外壁材の取付構造及び外壁パネルの提供を目的とする。
【課題を解決するための手段】
【０００８】
上記の課題を解決するため、この発明の外壁材の取付構造は、外壁材の裏面に取付部材を固定し、この取付部材にビス又はボルト、釘等の固定具をねじ込むか或いは打ち込んで、前記取付部材に係合部材を取り付けるとともに、その係合部材を構造材に係合したことを特徴とする。
【０００９】
具体的に、前記取付部材は、外壁材の裏面に縦方向に沿って固定した木桟であって、この木桟に縦方向に間隔をあけて複数の係合部材を取り付けている。また、前記構造材は、複数の溝形鋼を組み付けてなる軸組若しくは柱であって、前記係合部材は、前記溝形鋼のリップ部分を前記取付部材との間で挟み込む係合部を備えている。
【００１０】
さらに、地震等による前記構造材の変形時における前記外壁材のロッキングを可能にするために、前記溝形鋼のリップ部分に対して、位置ずれを許容する隙間を設けながら前記係合部材の係合部を被せるようにしたり、前記係合部材に形成した長穴へ前記固定具を挿通している。
【００１１】
さらにまた、前記係合部材の係合部に、前記溝形鋼のリップ部分に当接してそのリップ部分に係合部を位置決めする位置決め用突起を形成している。
【００１２】
この発明の外壁パネルは、外壁材の裏面に取付部材を固定し、この取付部材にビス又はボルト、釘等の固定具をねじ込むか或いは打ち込んで、前記取付部材に係合部材を取り付けるとともに、その係合部材を複数の溝形鋼を組み付けてなる軸組に係合してなることを特徴とする。
【００１３】
具体的に、前記取付部材は、外壁材の裏面に縦方向に沿って固定した木桟であって、この木桟に縦方向に間隔をあけて複数の係合部材を取り付けている。また、前記係合部材は、前記溝形鋼のリップ部分を前記取付部材との間で挟み込む係合部を備えている。
【００１４】
さらに、地震等による前記軸組の変形時における前記外壁材のロッキングを可能にするために、前記溝形鋼のリップ部分に対して、位置ずれを許容する隙間を設けながら前記係合部材の係合部を被せるようにしたり、前記係合部材に形成した長穴へ前記固定具を挿通している。
【００１５】
さらにまた、前記係合部材の係合部に、前記溝形鋼のリップ部分に当接してそのリップ部分に係合部を位置決めする位置決め用突起を形成している。
【発明の効果】
【００１６】
この発明では、外壁材の裏面に固定した取付部材に対して、係合部材をビスのねじ込み等によって取り付けているので、中実の外壁材や薄肉の外壁材であっても、その裏面側に係合部材を簡単かつ確実に取り付けて、軸組等の構造材に対して安定して取り付けることができる。しかも、外壁材の表面にビス頭が露出するといったこともなく、見栄えも良好に維持することができる。
【００１７】
また、地震等による軸組等の変形時における外壁材のロッキングを可能にするように、係合部材を外壁材側へ取り付けたり、軸組側へ係合しているので、地震等に際しての外壁材の破損や脱落を防止することができる。
【発明を実施するための最良の形態】
【００１８】
以下、この発明の実施形態を図面に基づいて詳細に説明する。この発明の一実施形態に係る外壁パネル(10)は、図１に示すように、薄肉平板状の外壁材(11)と、構造材としての軸組(12)と、外壁材(11)を軸組(12)に取り付けるための係合部材(13)とを備え、これらを工場等において予め複合化してなる。
【００１９】
外壁材(11)は、例えば軽量コンクリート等の無機質材からなり、略長方形状に形成されている。そして、この外壁材(11)の裏面には、取付部材としての不燃性を有する木桟(15)(15)(16)が固定されている。
【００２０】
これら木桟(15)(15)(16)は、例えば帯板状に形成されており、左右の木桟(15)(15)が外壁材(11)の縦方向に沿った左右端部裏面に接着剤によって固定され、中央の木桟(16)が左右の木桟(15)(15)と平行になるように外壁材(11)の中央裏面に接着剤によって固定されている。なお、木桟(15)(15)(16)は、接着剤を使用して固定するだけに限らず、例えば外壁材(11)の裏面側から木桟(15)(15)(16)及び外壁材(11)にねじ込んだビス等によって固定しても良い。
【００２１】
軸組(12)は、例えばリップ付き溝形鋼からなる一対の縦フレーム材(20)(20)と、同じくリップ付き溝形鋼からなる一対の横フレーム材(21)(21)とを、それら溝部が互いに向かい合うようにして方形枠状に組み付けて構成されている。また、この軸組(12)の縦フレーム材(20)(20)間には、例えばコ字形の溝形鋼からなる中桟(22)が、その溝部を下向きにして取り付けられている。
【００２２】
係合部材(13)は、図２に示すように、例えば金属製プレートを折曲形成してなり、木桟(15)(15)(16)に取り付ける平板状の取付部(30)と、軸組(12)に係合する略く字状の係合部(31)とを備えている。
【００２３】
取付部(30)には、ビス挿通用の長穴(32)が形成されている。この長穴(32)は、係合部材(13)の長さ方向に沿って長くなっている。また、係合部(31)は、取付部(30)の一端部から延出した第１傾斜片(35)と、この第１傾斜片(35)に連続する第２傾斜片(36)と、この第２傾斜片(36)の先端部分を第１傾斜片(35)と略平行になるように折り返してなる折り返し片(37)とを備えている。第２傾斜片(36)には、その中央部分に形成したコ字形の切れ込み部分を折り返し片(37)とは逆方向に押し込むことによって、係合部材(13)の幅方向に沿った位置決め用の突起(38)が設けられている。
【００２４】
この係合部材(13)を用いて、外壁材(11)を軸組(12)に取り付ける場合、図３及び図４に示すように、外壁材(11)に固定してある木桟(15)(15)(16)を、軸組(12)の各フレーム材(20)(21)…及び中桟(22)に当接させる。このとき、軸組(12)の下側の横フレーム材(21)に設けた図示しない受けプレートが、外壁材(11)の下端部を支持している。この状態で、図５に示すように、複数の係合部材(13)(13)…の係合部(31)(31)…を、縦フレーム材(20)(20)における一方のリップ部分(25)(25)に被せるとともに、取付部(30)(30)…を左右の木桟(15)(15)に重ね合わせる。そして、外壁材(11)の裏面側から取付部(30)(30)…の長穴(32)(32)…に挿通した固定具としてのビス(40)(40)…を左右の木桟(15)(15)にねじ込むことで、取付部(30)(30)…を左右の木桟(15)(15)…に取り付ける。
【００２５】
さらに、図６に示すように、係合部材(13)の係合部(31)を、中桟(22)の一方のフランジ部分(26)に被せるとともに、取付部(30)を中央の木桟(16)に重ね合わせる。そして、外壁材(11)の裏面側から取付部(30)の長穴(32)に挿通したビス(40)を中央の木桟(16)にねじ込むことで、取付部(30)を中央の木桟(16)に固定する。
【００２６】
このように、外壁材(11)の裏面に固定した木桟(15)(15)(16)にビス(40)(40)…をねじ込んで、係合部材(13)(13)…を取り付けることで、薄肉の外壁材(11)であっても、その裏面側に係合部材(13)(13)…を簡単にしかも安定して取り付けることができる。
【００２７】
なお、外壁材(11)に固定してある木桟(15)(15)(16)に対して、係合部材(13)(13)…の取付部(30)(30)…を前記のビス(40)(40)…によって仮止めしておいて、係合部(31)(31)…を縦フレーム材(20)(20)に係合した後に、さらにビス(40)(40)…をねじ込んで、取付部(30)(30)…を木桟(15)(15)(16)…にきっちりと取り付けるようにしても良い。
【００２８】
この外壁材(11)の取付状態において、図１に示すように、左右の各木桟(15)に対して、縦方向に間隔をあけて例えば４個の係合部材(13)(13)…がその長穴(32)が横長となるように横向きに取り付けられて、これら係合部材(13)(13)…が各縦フレーム材(20)の４箇所において係合している。また、中央の木桟(16)に対して、例えば１個の係合部材(13)がその長穴(32)が縦長となるように縦向き取り付けられて、中桟(22)の中央付近を下支えするよう係合している。なお、このように中桟(22)に対する係合にも、縦フレーム材(20)(20)に対する係合に用いる係合部材(13)を使用することで、部材構成を簡略化して、部材点数を抑えることができる。
【００２９】
また、木桟(15)にねじ込んだビス(40)(40)…が取付部(30)(30)…の長穴(32)(32)…に夫々挿通されていて、大きな外力が作用したときには、この横方向に延びる長穴(32)(32)…の範囲内でビス(40)(40)…のスライドが許容されるようになっている。このため、地震等による軸組(12)の層間変形時において、図７に示すように、この層間変形に追従するように外壁材(11)がロッキング(回転運動)して、外壁材(11)を破損させる歪みを緩衝するようになっている。
【００３０】
さらに、各係合部材(13)の係合部(31)は、図５に示すように、縦フレーム材(20)のリップ部分(25)を木桟(15)との間で挟み込むようして、リップ部分(25)に被さっていて、その第２傾斜片(36)側の位置決め用の突起(38)がリップ部分(25)に当接することで、リップ部分(25)に対してがたつくことがないように係合している。この係合状態において、リップ部分(25)と係合部(31)の第１傾斜片(35)との間には隙間(45)が設けられていて、大きな外力が作用したときには、リップ部分(25)に対する係合部(31)の位置ずれが許容されるようになっている。このため、地震等による軸組(12)の層間変形時において、この層間変形に追従するように外壁材(11)がロッキング(回転運動)して、外壁材(11)を破損させる歪みを緩衝するようになっている。
【００３１】
このようにして工場等で予め複合化された外壁パネル(10)は、図８に示すように、現場において梁(50)や基礎(51)に固定されて、建物外壁を構成する。
【００３２】
なお、この発明は、上記に限定されるものではなく、この発明の範囲内において、上記実施形態に多くの修正及び変更を加え得ることは勿論である。例えば、外壁材は、必ずしも工場等において予め軸組と複合化する必要はなく、現場において既に施工されている軸組や柱等の構造材に取り付けるようにしても良い。
【００３３】
また、係合部材としては、必ずしもその係合部を溝形鋼のリップ部分に対して位置ずれを許容する隙間を設けながら被せる必要はなく、例えば図９に示すように、係合部(31)を溝形鋼(20)のリップ部分(25)に対して位置ずれを許容する隙間を設けずに被せるようにしても良く、このような構造とすることで、係合部材(31)をリップ部分(25)により一層確実に係合させることができる。なお、図９に示す係合部材(13)においては、取付部(30)に対して係合部(31)の第１傾斜片(35)が略垂直に連続して、リップ部分(25)に重ね合わさるようになっている。この場合でも、取付部(30)の長穴(32)には、ビス(40)が挿通されているので、外壁材(11)のロッキングは可能となっている。
【００３４】
さらに、取付部材は、木桟のような木製のものだけに限らず、例えば合成樹脂製若しくは金属製のものであっても良い。
【００３５】
さらにまた、係合部材を取付部材に取り付けるための固定具は、ビスだけに限らず、例えばボルトや釘等であっても良い。
【図面の簡単な説明】
【００３６】
【図１】この発明の一実施形態に係る外壁パネルの一部破断斜視図である。
【図２】係合部材の斜視図である。
【図３】軸組への外壁材の取付途中を示す横断面図である。
【図４】同じくその取付後を示す横断面図である。
【図５】縦フレーム材に係合した係合部材の横断面図である。
【図６】中桟に係合した係合部材の縦断面図である。
【図７】外壁材のロッキング状態を示す図である。
【図８】外壁パネルの施工状態を示す縦断面材である。
【図９】別の実施形態に係る係合部材を示す横断面図である。
【図１０】従来の外壁材の取付構造を示す横断面図である。
【符号の説明】
【００３７】
(10)  外壁パネル
(11)  外壁材
(12)  軸組(構造材)
(13)  係合部材
(15)(15)(16)  木桟(取付部材)
(20)(21)  フレーム材(溝形鋼)
(25)  リップ部分
(31)  係合部
(32)  長穴
(38)  位置決め用突起
(40)  ビス(固定具)
(45)  隙間
【図１】
2005213882.tif 000003
【図２】
2005213882.tif 000004
【図３】
2005213882.tif 000005
【図４】
2005213882.tif 000006
【図５】
2005213882.tif 000007
【図６】
2005213882.tif 000008
【図７】
2005213882.tif 000009
【図８】
2005213882.tif 000010
【図９】
2005213882.tif 000011
【図１０】
2005213882.tif 000012